(57)【要約】      （修正有）【課題】遮光、収納、保護効果を兼ね備えたレンズキャップを提供する。【解決手段】レンズキャップは、締着部１００、切換環体２００、回転環体３００、プッシュ体４００、及びキャップ板部５００を含む。キャップ板部５００とプッシュ体４００はそれぞれ回転環体３００に枢設され、キャップ板部５００は選択的にプッシュ体４００の動作を受けて開かれる。また、重ねて嵌合する締着部１００と回転環体３００はそれぞれが連動し合い、尚且つ可動状態で切換環体２００の外側に嵌合して連結する。締着部１００を選択的に切換環体２００と緊密係合させ、切換環体２００に対応する回転環体３００を予め設定した位置に限定する。前記構成要素の組み合わせを利用し、切換環体２００をレンズ６００に固設することにより、収納、遮光、及び保護等の多用途レンズキャップを実現する。【選択図】図２
0003189660.tif 000002
【実用新案登録請求の範囲】
【請求項１】
締着部、切換環体、回転環体、プッシュ体、及びキャップ板部を含むレンズキャップであって、
前記締着部は、相互に枢着するＣ型箍及び引張部材を含み、
前記Ｃ型箍の一端に枢着凸体を設け、別の一端に傾斜辺、傾斜体、及び裕度領域を備え、傾斜辺及び傾斜体はそれぞれ裕度領域の両側に配置され、
前記引張部材の一端に枢着溝を設け、別の一端に切欠溝及び嵌合鈎を設け、枢着溝と枢着凸体が枢着され、切欠溝及び嵌合鈎の位置はそれぞれ傾斜体及び傾斜辺に対応し、
前記切換環体の外表面に環状溝及び外ねじ山を設け、前記環状溝は締着部を納めるもので、引張部材によって選択的にＣ型箍の内径の大きさを変化し、これによりＣ型箍と切換環体は密着状態を形成し、
前記回転環体は可動状態で切換環体に嵌設され、回転環体の内表面に複数の収納室及び少なくとも一つの凸骨を設け、尚且つ回転環体に径方向の予め設定した箇所に貫通する凹口と貫通溝を設け、前記凸骨は回転環体の内表面に沿って一部に形成され、凸骨の高さは何れか一つの収納室に近い一端から、異なる別の一端に向かって徐々に減少し、これにより回転環体の内径の断面は徐々に収縮し、また、前記貫通溝には貫通する引張部材を納め、回転環体と締着部とは連動状態を形成し、
前記プッシュ体の一端は可動状態で収納室の何れか一つに枢設され、尚且つプッシュ体を回転環体の中心方向に選択的に偏らせ、また、プッシュ体は凹口に選択的に嵌合し、
前記キャップ板部は第一キャップ板と第二キャップ板を含み、第一キャップ板は可動状態でプッシュ体の一端に枢設され、第二キャップ板は可動状態で収納室の何れか一つに枢設され、第一キャップ板と第二キャップ板を常態において選択的に開いた状態となり、或いは第一キャップ板と第二キャップ板を嵌め合わせて重ね凸骨によって位置を制限しキャップ板部を常態において選択的に回転環体の内径の横断面を覆う状態となることを特徴とするレンズキャップ。
【請求項２】
前記引張部材に裕度溝をさらに設け、前記裕度溝は嵌合鈎に近接され、嵌合鈎が後退するゆとり部分となることを特徴とする請求項１に記載のレンズキャップ。
【請求項３】
前記切換環体の内表面に内ねじ山を設けることを特徴とする請求項１に記載のレンズキャップ。
【請求項４】
前記プッシュ体に階層凸部をさらに備え、前記階層凸部の位置は凹口に対応することを特徴とする請求項１に記載のレンズキャップ。
【請求項５】
切換環体、回転環体、キャップ板部、及び締着部を含むレンズキャップであって、
前記切換環体の外表面に環状溝と外ねじ山を設け、
前記回転環体は可動状態で切換環体に嵌設し、回転環体に径方向に貫通する貫通溝を設け、
前記キャップ板部は選択的に回転環体の内径の断面を覆い、尚且つ回転環体に枢設され、
Ｃ型箍と引張部材を含む前記締着部は、回転環体と連動し、切換環体に対応して選択的に回転する回転環体の位置限定することができ、
前記Ｃ型箍は環状溝に設置し、Ｃ型箍の一端に枢着凸体を設け、別の一端に傾斜辺、傾斜体、及び裕度領域を設け、傾斜辺と傾斜体はそれぞれ裕度領域の両側に配置し、
前記引張部材は可動状態で貫通溝に延長してそれに納められ、一端に枢着溝を設け、別の一端に切欠溝及び嵌合鈎を設け、枢着溝と枢着凸体を枢着し、切欠溝及び嵌合鈎の位置はそれぞれ傾斜体及び傾斜辺に対応し、前記引張部材によって選択的にＣ型箍の内径の大きさを変化させ、これによりＣ型箍と切換環体は密着状態を形成することを特徴とするレンズキャップ。
【請求項６】
前記引張部材に裕度溝をさらに設け、前記裕度溝は嵌合鈎に近接し、嵌合鈎が後退するゆとり部分となることを特徴とする請求項５に記載のレンズキャップ。
【請求項７】
前記切換環体の内表面に内ねじ山を設けることを特徴とする請求項５に記載のレンズキャップ。
【請求項８】
前記切換環体、回転環体、プッシュ体、及びキャップ板部を含むレンズキャップであって、
前記切換環体の外表面に環状溝及び外ねじ山を設け、
前記回転環体は可動状態で切換環体に嵌設され、前記回転環体の内表面に複数の収納室及び少なくとも一つの凸骨を設け、尚且つ回転環体の径方向の予め設定した箇所に凹口を貫通させ、前記凸骨は回転環体の内径表面に沿って一部に形成し、凸骨の高さは何れか一つの収納室に近い一端から、異なる別の一端に向かって徐々に減少し、これにより回転環体の内径の断面は徐々に収縮し、
前記プッシュ体の一端は可動状態で収納室の何れか一つに枢設され、尚且つプッシュ体を回転環体の中心方向に選択的に偏らせ、また、プッシュ体は凹口に選択的に嵌合され、
前記キャップ板部は第一キャップ板と第二キャップ板を含み、第一キャップ板は可動状態でプッシュ体の一端に枢設され、第二キャップ板は可動状態で収納室の何れか一つに枢設され、第一キャップ板と第二キャップ板を常態において選択的に開いた状態にし、或いは第一キャップ板と第二キャップ板を嵌め合わせて重ね凸骨によって位置を制限し、キャップ板部を常態において選択的に回転環体の内径の横断面を覆う状態にすることを特徴とするレンズキャップ。
【請求項９】
前記切換環体の内表面に内ねじ山を設けることを特徴とする請求項８に記載のレンズキャップ。
【請求項１０】
前記プッシュ体は階層凸部をさらに備え、前記階層凸部の位置は凹口に対応することを特徴とする請求項８に記載のレンズキャップ。
【考案の詳細な説明】
【技術分野】
【０００１】
本考案はレンズのレンズ面を保護する技術分野に関し、特に遮光、収納不要等の効果を兼ね備えたレンズキャップに係る。
【背景技術】
【０００２】
レンズは映写機、カメラ等の映像機器の重要な部材であり、イメージングの明晰レベルを適切に保護し、レンズが傷ついたり汚れるのを防ぐ必要がある。
【０００３】
周知の保護手段の一つに、レンズ箇所にレンズキャップを加えてレンズを遮蔽しレンズが損傷を受けたり塵埃で汚れるのを防ぐものがある。この種のレンズキャップの構造は特許文献１の通り、単純にレンズの前方を被覆したものであり、撮影或いは再生時に手動方式でレンズキャップを取り外してポケットに入れるか、細い紐をレンズキャップに結び付けて映像機器の下方に垂らす。
【０００４】
公知の手動方式は人為的要素を受け易く、レンズキャップの取り外しをうっかり忘れ、撮影や再生等動作のスムーズな実行を不利にすることもある。そこで、研究開発されたのが自動開閉を行なうレンズキャップである。例えば特許文献２に開示されたオートフォーカス機能を備えたカメラであるが、カバーに2〜3の薄片を枢着し、各薄片を対応するスプリングに連結し、スプリングをカメラから延長するレンズフレームに接触させることで薄片を外側にスムーズに押し出して開く。これらの薄片はレンズの外側面に繞設し、レンズがカバーに納められる動作に応じて、弾力をもってレンズ表面の外部を改めて覆う。
【０００５】
手動或いは自動に拘らず、レンズキャップは単純に遮蔽効果を有する。イメージング効果を優れたものにするためにはレンズフードを追加する必要がある。これにより、水滴を防ぐ必要のない光を遮り、撮影の場面での眩しい光を防ぎ、鮮明度に与える悪影響を防ぐことができる。だが、レンズキャップ或いはレンズフードの携帯は使用者の負担を増加させる。
【０００６】
よって、いかにレンズキャップに保護、遮光、及び収納等効果を兼ね備えさせるかが業界で解決しようとする課題である。
【先行技術文献】
【特許文献】
【０００７】
【特許文献１】米国特許第7775671号明細書
【特許文献２】日本特開2009-258600号明細書
【考案の概要】
【考案が解決しようとする課題】
【０００８】
前記公知技術の問題及び欠点に鑑み、本考案の主な目的は、レンズキャップを提供することにより、使用において収納、遮光及び保護等の要求を兼ね備えることができない公知のレンズキャップの問題点を解決することにある。
【課題を解決するための手段】
【０００９】
本考案は前述した目的に基づき、レンズキャップを提供する。それは、締着部、切換環体、回転環体、プッシュ体、及びキャップ板部を含む。前記締着部は、一端をそれぞれ枢着するＣ型箍及び引張部材を含む。Ｃ型箍の一端に枢着凸体を設け、別の一端に傾斜辺、傾斜体、及び裕度領域を備え、傾斜辺及び傾斜体はそれぞれ裕度領域の両側に配置する。引張部材の一端に枢着溝を設け、別の一端に切欠溝、嵌合鈎、裕度溝を設ける。裕度溝は嵌合鈎に近接し、嵌合鈎が後退するゆとり部分となり、枢着溝と枢着凸体を枢着し、切欠溝及び嵌合鈎の位置はそれぞれ傾斜体及び傾斜辺に対応させる。前記切換環体の外表面に環状溝及び外ねじ山を設け、切換環体の内表面に内ねじ山を設ける。前記環状溝は締着部を納めるもので、引張部材によって選択的にＣ型箍の内径の大きさを変化させる。これにより、Ｃ型箍と切換環体は密着する。前記回転環体は可動状態で切換環体に嵌設し、回転環体の内径面に複数の収納室及び少なくとも一つの凸骨を設け、尚且つ回転環体に径方向を貫通する凹口と貫通溝を設け、前記貫通溝に貫通する引張部材を納める。これにより、締着部と回転環体は連動するか或いは位置が限定される。前記凸骨は回転環体の内径表面に沿って一部に形成され、凸骨の高さは収納室に近い一端から、異なる別の一端に向かって徐々に減少し、これにより回転環体の内径の断面は徐々に収縮する。前記プッシュ体の一端は可動状態で収納室の何れか一つに枢設し、尚且つプッシュ体を回転環体の中心方向に選択的に偏らせる。また、プッシュ体には階層凸部を備え、前記階層凸部は凹口に選択的に嵌合する。前記キャップ板部は第一キャップ板と第二キャップ板を含み、第一キャップ板は可動状態でプッシュ体の一端に枢設され、第二キャップ板は可動状態で収納室の何れか一つに枢設される。これにより、第一キャップ板と第二キャップ板を常態において選択的に開いた状態となり、或いは第一キャップ板と第二キャップ板を嵌め合わせて重ね凸骨によって位置を制限し、キャップ板部を常態において選択的に回転環体の内径の横断面を覆う状態となる。
【００１０】
本考案の前述目的に基づいて別のレンズキャップを開示する。それは、切換環体、回転環体、キャップ板部、及び締着部を含む。前記切換環体の外表面に環状溝と外ねじ山を設け、切換環体の内表面には内ねじ山を設ける。前記回転環体は可動状態で切換環体に嵌設し、少なくとも一つの貫通溝を設ける。キャップ板部は可動状態で回転環体に枢設される。前記締着部はＣ型箍と引張部材を含む。そのうち、Ｃ型箍の一端に枢着凸体を設け、別の一端に傾斜辺、傾斜体、及び裕度領域を設け、傾斜辺と傾斜体はそれぞれ裕度領域の両側に配置される。前記引張部材は可動状態で貫通溝に納められ、一端に枢着溝を設け、別の一端に切欠溝、嵌合鈎、及び裕度溝を設ける。裕度溝は嵌合鈎に近接し、嵌合鈎が後退するゆとり部分となり、枢着溝と枢着凸体を枢着し、切欠溝及び嵌合鈎の位置はそれぞれ傾斜体及び傾斜辺に対応する。前記引張部材によって選択的にＣ型箍の内径の大きさを変化させる。
【００１１】
本考案の前記目的に基づいて、もう一つのレンズキャップを提供する。それは、切換環体、回転環体、プッシュ体、及びキャップ板部を含む。前記切換環体の外表面に環状溝及び外ねじ山を設け、切換環体の内表面に内ねじ山を設ける。前記回転環体は可動状態で切換環体に嵌設し、回転環体の内表面に複数の収納室及び少なくとも一つの凸骨を設け、尚且つ回転環体の径方向の予め設定した箇所に凹口を貫通させ、前記凸骨は回転環体の内表面に沿って一部に形成し、凸骨の高さは収納室に近い一端から、異なる別の一端に向かって徐々に減少し、これにより回転環体の内径の断面は徐々に収縮する。前記プッシュ体の一端は可動状態で収納室の何れか一つに枢設され、尚且つプッシュ体を回転環体の中心方向に選択的に偏らせる。また、プッシュ体は凹口に選択的に嵌合する階層凸部を備える。前記キャップ板部は第一キャップ板と第二キャップ板を含み、第一キャップ板は可動状態でプッシュ体の一端に枢設し、第二キャップ板は可動状態で収納室の何れか一つに枢設する。これにより、第一キャップ板と第二キャップ板を常態において選択的に開いた状態とし、或いは第一キャップ板と第二キャップ板を嵌め合わせて重ね凸骨によって位置を制限し、キャップ板部を常態において選択的に回転環体の内径の横断面を覆う状態とする。
【考案の効果】
【００１２】
本考案のレンズキャップは、使用において収納、遮光及び保護等の要求を兼ね備えることができた効果を有する。
【図面の簡単な説明】
【００１３】
【図１】本考案レンズキャップの実施例図である。
【図２】本考案レンズキャップの実施例の分解図である。
【図３】図２の一部構成要素の分解図である。
【図４】図１を閉じた状態の一部断面図である。
【図５】図４の一部立体図である。
【図６】図５の断面図である。
【図７】図１を開き作動状態の一部断面図である。
【図８】図７の一部立体図である。
【図９】図８の第一位置の断面図である。
【図１０】図８の第二位置の断面図である。
【図１１】図１を開いた状態の立体図である。
【図１２】図１を開いた状態の別の角度から見た立体図である。
【図１３】図１２の一部断面図である。
【図１４】図１２を別の角度から見た図である。
【図１５】図１４の断面図である。
【図１６】図１２を別の角度から見た図である。
【図１７】図１６の断面図である。
【考案を実施するための形態】
【００１４】
次に、本考案レンズキャップの実施例について図面を参照して詳しく説明をする。尚、本考案の実施方式を理解していただく利便を図るために、同じ部材に同じ符号を用いて説明する。
【００１５】
図１乃至図６に示すように、レンズキャップには、締着部１００、切換環体２００、回転環体３００、プッシュ体４００、及びキャップ板部５００を含む。キャップ板部５００とプッシュ体４００は可動状態で回転環体３００に枢設され、キャップ板部５００はプッシュ体４００の触発を受けて連動し、選択的に開く。また、重ねて嵌合する締着部１００と回転環体３００はそれぞれが連動し合い、尚且つ可動状態で切換環体２００を嵌合して連結する。締着部１００を選択的に切換環体２００と緊密係合させることにより、切換環体２００に対応する回転環体３００を予め設定した位置に限定する。前記構成要素の組み合わせを利用し、切換環体２００をレンズ６００に螺着することにより、収納、遮光、及び保護等の要求を兼ね備えたレンズキャップを提供する。
【００１６】
前記締着部１００は、Ｏ型リング１２０、一端をそれぞれ枢着するＣ型箍１４０、及び引張部材１６０を含む。Ｃ型箍１４０は枢着凸体１４２、傾斜辺１４４、傾斜体１４６、及び裕度領域１４８を備える。そのうち、枢着凸体１４２はＣ型箍１４０の一端に形成し、傾斜辺１４４、傾斜体１４６、及び裕度領域１４８をＣ型箍１４０の別の一端に形成され、傾斜辺１４４と傾斜体１４６はそれぞれ裕度領域１４８の両側に配置する。引張部材１６０は枢着溝１６２、切欠溝１６４、鈎部１６６、裕度溝１６８、及び嵌合鈎１６９を有する。そのうち、枢着溝１６２は引張部材１６０の一端に形成し、枢着凸体１４２と枢着し、切欠溝１６４及び裕度溝１６８はそれぞれ引張部材１６０の別の一端に形成する。そのうち嵌合鈎１６９は鈎部１６６を備え、裕度溝１６８は嵌合鈎１６９に近接し、鈎部１６６が後退するゆとり部分となる。切欠溝１６４と嵌合鈎１６９の位置は傾斜体１４６と傾斜辺１４４に相対する。これにより、引張部材１６０の自由端はＣ型箍１４０の裕度領域１４８で運動する。
【００１７】
前記切換環体２００は外ねじ山２２０、内ねじ山２４０、及び環状溝２６０を含む。外ねじ山２２０及び環状溝２６０はそれぞれ切換環体２００の外表面に形成する。内ねじ山２４０は切換環体２００の内径表面に形成する。前記環状溝２６０は前記締着部１００を納めるもので、引張部材１６０によってＣ型箍１４０の内径の大きさを選択的に変化させる。これにより、Ｃ型箍１４０と切換環体２００は密着し位置が限定される。
【００１８】
前記回転環体３００は切換環体２００に嵌設し、それは中空であり、尚且つ第一環体３２０、第二環体３４０、第三環体３６０の順に連接する。前記第一環体３２０は凹口３２２、複数の収納室３２４、収納室３２５、及び少なくとも一つの凸骨３２６を含む。凹口３２２は径方向に第一環体３２０を貫通して形成され、各収納室３２４、収納室３２５は対称となるよう第一環体３２０内表面に形成し、尚且つ第一環体３２０の中心に向かって開かれる。また、その内の一つの収納室３２４と凹口３２２の位置は対応する。凸骨３２６は第一環体３２０の内表面に沿って一部に形成され、凸骨３２６の高さは収納室３２４に近い第一端から、異なる第二端に向かって徐々に低くなり（図４及び図５参照）、凸骨３２６の第二端から第一端までの高さの差によって、第一環体３２０の内径の断面を徐々に収縮限定する。また、第三環体３６０に備えた径方向に貫通する貫通溝３６２（図３参照）には貫通する引張部材１６０を納める。これにより、回転環体３００と締着部１００は重なり合って連動し、締着部１００によって対応する切換環体２００の予め設定した位置を限定する。
【００１９】
前記プッシュ体４００の一端は枢着部材４４０（少なくとも一つの軸４４４と弾性部材４４２を含む公知技術）を介して第一環体３２０の収納室３２４に枢設する。プッシュ体４００には階層凸部４２０を備え、プッシュ体４００は枢着部材４４０に係合し常態では階層凸部４２０第一環体３２０の凹口３２２に嵌合する。また、プッシュ体４００は枢着部材４４０と収納室３２４の開放端に係合し、使用者が階層凸部４２０を押すことにより、プッシュ体４００の収納室３２４と異なる別の一端を第一環体３２０の中心方向に向かって選択的に偏らせる。実施時には階層凸部４２０を選択的に省略する。
【００２０】
前記キャップ板部５００は第一キャップ板５２０と第二キャップ板５４０を含み、第一キャップ板５２０と第二キャップ板５４０は枢着部５２２と枢着部５４２をそれぞれ備える。これにより、第一キャップ板５２０と第二キャップ板５４０は枢着部５２２と枢着部５４２を介して枢着部材４６０、枢着部材４８０（少なくとも一つの軸４６４、軸４８４及び弾性部材４６２、弾性部材４８２を含む公知技術）に係合し、それぞれを第一環体３２０の収納室３２５及びプッシュ体４００の一端に枢着する。第一キャップ板５２０、第二キャップ板５４０は選択的に第一環体３２０の刳り貫き箇所を遮蔽し、第一キャップ板５２０、第二キャップ板５４０は枢着部材４６０、枢着部材４８０によって常態において選択的に開いた状態にし、或いは枢着部５２２、枢着部５４２に相対する第一キャップ板５２０、第二キャップ板５４０の別の一端を選択的に嵌め合わせて重ねて閉じた状態にする。前記第一キャップ板５２０を第一環体３２０に被せた時、プッシュ体４００が偏り、第一環体３２０の凸骨３２６の下方までスライドし、凸骨３２６の位置限定を受けて、第一キャップ板５２０、第二キャップ板５４０は閉じた状態になる。
【００２１】
前述は、本考案が提供する好ましい実施例のレンズキャップの各部構成要素及び組立方式の説明である。ここで更に本考案の実施例の作動の特徴を以下の通り説明する。まず、レンズキャップは切換環体２００の外ねじ山２２０をレンズ６００（切換環体２００は固定）に螺着し、本考案のレンズキャップとレンズの組立てを完成する（図１を参照）。
【００２２】
＜レンズキャップを開く＞
使用者がレンズキャップのキャップ板部５００を開こうとする場合、図４〜１３に示す通り、階層凸部４２０を押すだけで（図５〜９参照）、プッシュ体４００の端が第一環体３２０の中心方向に偏るため、プッシュ体４００と第一環体３２０を枢着した枢着部材４４０（弾性部材４４２）は圧力を蓄え、第一キャップ板５２０はこれにより偏り、第一キャップ板５２０は凸骨３２６の第一端から第二端に向かってスライドし、凸骨３２６を越える（図４、５、８参照。凸骨３２６の高さは比較的低く、第一環体３２０の内径断面は第一キャップ板５２０の外周縁より大きい）。この時、第一キャップ板５２０、第二キャップ板５４０を枢着する枢着部材４６０、枢着部材４８０は弾性部材４６２、弾性部材４８２の回復力により、第一キャップ板５２０、第二キャップ板５４０は外側に開かれる（図７〜１２参照）。プッシュ体４００と第一環体３２０の枢着箇所の枢着部材４４０は弾性部材４４２の回復力により、プッシュ体４００は凹口３２２方向に偏り、階層凸部４２０を凹口３２２に嵌合する（図１０、１３参照）。以上により、使用者はレンズキャップを開きレンズ６００を使用して撮影活動を行なうことができる。
【００２３】
＜レンズキャップを閉じる＞
使用者がレンズ６００を使用した後、図１３及び図１４に示すように、第一キャップ板５２０、第二キャップ板５４０を押すと、第一キャップ板５２０、第二キャップ板５４０は枢着部材４６０、枢着部材４８０を中心として第一環体３２０の刳り貫き箇所に蓋をする。並びに、枢着部材４６０、枢着部材４８０（弾性部材４６２、弾性部材４８２）に対して圧力を蓄える。この時、第一キャップ板５２０、第二キャップ板５４０は異なる箇所に枢着し、嵌め込んで重ね合わされる（第一キャップ板５２０を第二キャップ板５４０に嵌め込んで重ね合わせる。図４参照）。第一キャップ板５２０で蓋をする過程において（図８、図９参照）、その外周縁は凸骨３２６に引っ掛かり停止される故、枢着したプッシュ体４００を連動し、これにより、プッシュ体４００の端は第一環体３２０の中心方向に向かって偏り、プッシュ体４００と第一環体３２０を枢着した枢着部材４４０（弾性部材４４２）に圧力が蓄えられる。これにより第一キャップ板５２０は偏るため、第一キャップ板５２０は凸骨３２６の第二端に向かってスライドし、凸骨３２６を越える（凸骨３２６の高さは比較的低く、第一環体３２０の内径断面は第二キャップ板５４０の外周縁より大きい）。
第一キャップ板５２０を凸骨３２６の下方に置いた時（図９〜５参照）、プッシュ体４００と第一環体３２０を枢着する枢着部材４４０は弾性部材４４２の回復力により、プッシュ体４００は凹口３２２方向に偏り、階層凸部４２０を凹口３２２に嵌合する。プッシュ体４００が偏り、枢着した第一キャップ板５２０は凸骨３２６の下方から引っ張り動かされ、第二端から凸骨３２６の第一端に向かってスライドし、凸骨３２６に引っ掛かって停止し位置が限定される。このように常態において選択的にキャップ板部５００の蓋をし、レンズキャップを保護する目的を達成する。
【００２４】
＜レンズキャップの調整＞
レンズキャップは切換環体２００とレンズ６００を螺着後、もしキャップ板部５００とプッシュ体４００等の位置を予め設定した場所にできない場合、締着部１００を係合させて適度な調整を行うことができる。図１２〜１７に示すように、調整時は引張部材１６０の一端を持ち上げると、引張部材１６０の枢着溝１６２は係合する枢着凸体１４２を中心として外側に引っ張り動かされる。引張部材１６０を引っ張り上げる時、鈎部１６６は裕度溝１６８の提供する後退空間に係合し、切欠溝１６４と鈎部１６６はＣ型箍１４０の傾斜体１４６と傾斜辺１４４に引っ掛かり停止されることがなくなるため、Ｃ型箍１４０は自身の弾性によって元に戻り、切換環体２００との密着がなくなる。
使用者はこの時、回転環体３００を回転して締着部１００を切換環体２００に沿って回転させ、回転環体３００上に枢設したキャップ板部５００とプッシュ体４００を予め設定した箇所に到達させた時、引張部材１６０の自由端をプッシュする。これにより、引張部材１６０は枢着溝１６２と枢着凸体１４２を中心として環状溝２６０方向に嵌合し、嵌合した時、引張部材１６０の切欠溝１６４とＣ型箍１４０の傾斜体１４６には斜めに引っ張られ、Ｃ型箍１４０の内径を収縮する。よって、Ｃ型箍１４０（Ｏ型リング１２０に係合）と切換環体２００は密着し、それに係合する引張部材１６０の鈎部１６６とＣ型箍１４０の傾斜辺１４４には引っ掛かり停止する状態が形成され、引張部材１６０の活動は制限され、締着部１００が連動する回転環体３００の位置を決める目的を果たす。
【００２５】
前述した説明は単に本考案の好ましい実施方式を述べただけであり、本考案の特徴を明確にすることを目的としており、本考案の実施例の範囲に制約を加えるものではない。本技術分野の一般技術者が本考案に基づいて為された同等効果を有する変化及び本分野の技術者の熟知する変化は全て、本考案が包含する範囲に属するものとする。
【符号の説明】
【００２６】
１００ 締着部
１２０ Ｏ型リング
１４０ Ｃ型箍
１４２ 枢着凸体
１４４ 傾斜辺
１４６ 傾斜体
１４８ 裕度領域
１６０ 引張部材
１６２ 枢着溝
１６４ 切欠溝
１６６ 鈎部
１６８ 裕度溝
１６９ 嵌合鈎
２００ 切換環体
２２０ 外ねじ山
２４０ 内ねじ山
２６０ 環状溝
３００ 回転環体
３２０ 第一環体
３２２ 凹口
３２４ 収納室
３２５ 収納室
３２６ 凸骨
３４０ 第二環体
３６０ 第三環体
３６２ 貫通溝
４００ プッシュ体
４２０ 階層凸部
４４０ 枢着部材
４４２ 弾性部材
４４４ 軸
４６０ 枢着部材
４６２ 弾性部材
４６４ 軸
４８０ 枢着部材
４８２ 弾性部材
４８４ 軸
５００ キャップ板部
５２０ 第一キャップ板
５２２ 枢着部
５４０ 第二キャップ板
５４２ 枢着部
６００ レンズ
【図１】
0003189660.tif 000003
【図２】
0003189660.tif 000004
【図３】
0003189660.tif 000005
【図４】
0003189660.tif 000006
【図５】
0003189660.tif 000007
【図６】
0003189660.tif 000008
【図７】
0003189660.tif 000009
【図８】
0003189660.tif 000010
【図９】
0003189660.tif 000011
【図１０】
0003189660.tif 000012
【図１１】
0003189660.tif 000013
【図１２】
0003189660.tif 000014
【図１３】
0003189660.tif 000015
【図１４】
0003189660.tif 000016
【図１５】
0003189660.tif 000017
【図１６】
0003189660.tif 000018
【図１７】
0003189660.tif 000019
【手続補正書】
【提出日】平成26年1月27日(2014.1.27)
【手続補正１】
【補正対象書類名】実用新案登録請求の範囲
【補正対象項目名】全文
【補正方法】変更
【補正の内容】
【実用新案登録請求の範囲】
【請求項１】
締着部、切換環体、回転環体、プッシュ体、及びキャップ板部を含むレンズキャップであって、
前記締着部は、相互に枢着するＣ型箍及び引張部材を含み、
前記Ｃ型箍の一端に枢着凸体を設け、別の一端に傾斜辺、傾斜体、及び裕度領域を備え、傾斜辺及び傾斜体はそれぞれ裕度領域の両側に配置され、
前記引張部材の一端に枢着溝を設け、別の一端に切欠溝及び嵌合鈎を設け、枢着溝と枢着凸体が枢着され、切欠溝及び嵌合鈎の位置はそれぞれ傾斜体及び傾斜辺に対応し、
前記切換環体の外表面に環状溝及び外ねじ山を設け、前記環状溝は締着部を納めるもので、引張部材によって選択的にＣ型箍の内径の大きさを変化し、これによりＣ型箍と切換環体は密着状態を形成し、
前記回転環体は可動状態で切換環体に嵌設され、回転環体の内表面に複数の収納室及び少なくとも一つの凸骨を設け、尚且つ回転環体に径方向の予め設定した箇所に貫通する凹口と貫通溝を設け、前記凸骨は回転環体の内表面に沿って一部に形成され、凸骨の高さは何れか一つの収納室に近い一端から、異なる別の一端に向かって徐々に減少し、これにより回転環体の内径の断面は徐々に収縮し、また、前記貫通溝には貫通する引張部材を納め、回転環体と締着部とは連動状態を形成し、
前記プッシュ体の一端は可動状態で収納室の何れか一つに枢設され、尚且つプッシュ体を回転環体の中心方向に選択的に偏らせ、また、プッシュ体は凹口に選択的に嵌合し、
前記キャップ板部は第一キャップ板と第二キャップ板を含み、第一キャップ板は可動状態でプッシュ体の一端に枢設され、第二キャップ板は可動状態で収納室の何れか一つに枢設され、第一キャップ板と第二キャップ板を常態において選択的に開いた状態となり、或いは第一キャップ板と第二キャップ板を嵌め合わせて重ね凸骨によって位置を制限しキャップ板部を常態において選択的に回転環体の内径の横断面を覆う状態となることを特徴とするレンズキャップ。
【請求項２】
前記引張部材に裕度溝をさらに設け、前記裕度溝は嵌合鈎に近接され、嵌合鈎が後退するゆとり部分となることを特徴とする請求項１に記載のレンズキャップ。
【請求項３】
前記切換環体の内表面に内ねじ山を設けることを特徴とする請求項１に記載のレンズキャップ。
【請求項４】
前記プッシュ体に階層凸部をさらに備え、前記階層凸部の位置は凹口に対応することを特徴とする請求項１に記載のレンズキャップ。
【請求項５】
切換環体、回転環体、キャップ板部、及び締着部を含むレンズキャップであって、
前記切換環体の外表面に環状溝と外ねじ山を設け、
前記回転環体は可動状態で切換環体に嵌設し、回転環体に径方向に貫通する貫通溝を設け、
前記キャップ板部は選択的に回転環体の内径の断面を覆い、尚且つ回転環体に枢設され、
Ｃ型箍と引張部材を含む前記締着部は、回転環体と連動し、切換環体に対応して選択的に回転する回転環体の位置限定することができ、
前記Ｃ型箍は環状溝に設置し、Ｃ型箍の一端に枢着凸体を設け、別の一端に傾斜辺、傾斜体、及び裕度領域を設け、傾斜辺と傾斜体はそれぞれ裕度領域の両側に配置し、
前記引張部材は可動状態で貫通溝に延長してそれに納められ、一端に枢着溝を設け、別の一端に切欠溝及び嵌合鈎を設け、枢着溝と枢着凸体を枢着し、切欠溝及び嵌合鈎の位置はそれぞれ傾斜体及び傾斜辺に対応し、前記引張部材によって選択的にＣ型箍の内径の大きさを変化させ、これによりＣ型箍と切換環体は密着状態を形成することを特徴とするレンズキャップ。
【請求項６】
前記引張部材に裕度溝をさらに設け、前記裕度溝は嵌合鈎に近接し、嵌合鈎が後退するゆとり部分となることを特徴とする請求項５に記載のレンズキャップ。
【請求項７】
前記切換環体の内表面に内ねじ山を設けることを特徴とする請求項５に記載のレンズキャップ。
【請求項８】
切換環体、回転環体、プッシュ体、及びキャップ板部を含むレンズキャップであって、
前記切換環体の外表面に環状溝及び外ねじ山を設け、
前記回転環体は可動状態で切換環体に嵌設され、前記回転環体の内表面に複数の収納室及び少なくとも一つの凸骨を設け、尚且つ回転環体の径方向の予め設定した箇所に凹口を貫通させ、前記凸骨は回転環体の内径表面に沿って一部に形成し、凸骨の高さは何れか一つの収納室に近い一端から、異なる別の一端に向かって徐々に減少し、これにより回転環体の内径の断面は徐々に収縮し、
前記プッシュ体の一端は可動状態で収納室の何れか一つに枢設され、尚且つプッシュ体を回転環体の中心方向に選択的に偏らせ、また、プッシュ体は凹口に選択的に嵌合され、
前記キャップ板部は第一キャップ板と第二キャップ板を含み、第一キャップ板は可動状態でプッシュ体の一端に枢設され、第二キャップ板は可動状態で収納室の何れか一つに枢設され、第一キャップ板と第二キャップ板を常態において選択的に開いた状態にし、或いは第一キャップ板と第二キャップ板を嵌め合わせて重ね凸骨によって位置を制限し、キャップ板部を常態において選択的に回転環体の内径の横断面を覆う状態にすることを特徴とするレンズキャップ。
【請求項９】
前記切換環体の内表面に内ねじ山を設けることを特徴とする請求項８に記載のレンズキャップ。
【請求項１０】
前記プッシュ体は階層凸部をさらに備え、前記階層凸部の位置は凹口に対応することを特徴とする請求項８に記載のレンズキャップ。